(57)【要約】【課題】複数のコネクタ装置が並んでいる状態でも、把持することが容易なコネクタ装置を提供する。【解決手段】被コネクタ連結部２００に連結されるコネクタ機構部１００を備えるコネクタ装置１０であって、コネクタ機構部１００の差し込み側が外部に露出する状態で、当該コネクタ機構部１００が取り付けられている筐体２０と、コネクタ機構部１００に対して筐体２０の少なくとも一部を移動させる移動機構５０と、を有し、複数の筐体２０が並んだ状態において、移動機構５０での筐体２０の少なくとも一部の移動により、当該筐体２０の少なくとも一部は、並んでいる他の筐体２０よりも飛び出す構成となっている。【選択図】図１
2015076127.tif 000002
【特許請求の範囲】
【請求項１】
被コネクタ連結部に連結されるコネクタ機構部を備えるコネクタ装置であって、
前記コネクタ機構部の差し込み側が外部に露出する状態で、当該コネクタ機構部が取り付けられている筐体と、
前記コネクタ機構部に対して前記筐体の少なくとも一部を移動させる移動機構と、
を有し、
複数の前記筐体が並んだ状態において、前記移動機構での前記筐体の少なくとも一部の移動により、当該筐体の少なくとも一部は、並んでいる他の前記筐体よりも飛び出す、
ことを特徴とするコネクタ装置。
【請求項２】
請求項１記載のコネクタ装置であって、
前記コネクタ機構部には、ロック解除部材が取り付けられていて、
前記ロック解除部材は、前記筐体の少なくとも一部の移動と連動して移動し、
その移動により前記コネクタ機構部での前記被コネクタ連結部との間のロック状態が解除される、
ことを特徴とするコネクタ装置。
【請求項３】
請求項１または２記載のコネクタ装置であって、
前記筐体は、
前記コネクタ機構部が取り付けられているケースと、
前記ケースに対して回動可能に設けられ、この回動によって、並んでいる他の前記筐体よりも飛び出す外部カバーと、
前記外部カバーに設けられていると共に前記ケース側に向かう係合突起と、
前記ケースに回動自在に取り付けられていると共に、前記係合突起との係合によって前記外部カバーが飛び出す飛び出し方向へ回動するのを規制するノブと、
を具備し、
前記ノブを移動させることにより、前記係合突起と前記ノブとの係合が解除されて、前記外部カバーが前記ケースに対して前記飛び出し方向へ回動する、
ことを特徴とするコネクタ装置。
【請求項４】
請求項３記載のコネクタ装置であって、
前記外部カバーと前記ケースとの間には、付勢手段が設けられていて、この付勢手段が与える付勢力によって前記外部カバーが前記ケースに対して前記飛び出し方向に回動させられる、
ことを特徴とするコネクタ装置。
【発明の詳細な説明】
【技術分野】
【０００１】
本発明は、電流の測定の際に用いられるコネクタ装置に関する。
【背景技術】
【０００２】
オシロスコープ等の測定装置やテレビ等の受信装置には、たとえば同軸ケーブルであるＢＮＣコネクタの入力端子（レセプタクル）が設けられているが、その入力端子と接続して、電気信号を伝送するために、コネクタ装置が設けられている。コネクタ装置は、ＢＮＣコネクタのコネクタプラグを備え、そのコネクタプラグが、入力端子と接続される。
【０００３】
このような、同軸ケーブルの接続構成としては、たとえば特許文献１に示すものがある。特許文献１には、金属箱の端面にレセプタクルが取り付けられていて、このレセプタクルを同軸ケーブルのコネクタに嵌合させる構成が開示されている。
【先行技術文献】
【特許文献】
【０００４】
【特許文献１】実開昭６１−６２３８８号公報
【発明の概要】
【発明が解決しようとする課題】
【０００５】
ところで、特許文献１に示すようなコネクタ装置が複数並ぶ場合、そのコネクタ装置を取り外すことが難しい、という問題がある。この様子を、図１４および図１５に示す。図１４および図１５に示すように、複数のコネクタ装置が並んで測定装置に接続されている場合、指がコネクタ装置同士の間に入り難くなり、それによって、取り外そうとしているコネクタ装置を把持し難くなる。そのため、コネクタ装置を取り外すことが難しい状態となる。
【０００６】
なお、上述のようなコネクタ装置においては、次のような問題もある。すなわち、ＢＮＣコネクタにおいては、バネヨットロック方式による取り付けが広く用いられている。かかるバネヨットロック方式では、ＢＮＣコネクタのプラグ側とレセプタクルのいずれかを、ひねる（回転させる）ことで、ロックおよびロック解除を行うようにしている。
【０００７】
しかしながら、図１５に示すように、複数のコネクタ装置が、狭い隙間で並んで取り付けられる場合には、コネクタ装置を回転させようとしても、他のコネクタ装置が回転の支障となって、回転させることができない場合がある。
【０００８】
本発明は上記の事情にもとづきなされたもので、その目的とするところは、複数のコネクタ装置が並んでいる状態でも、把持することが容易なコネクタ装置を提供しよう、とするものである。また、複数のコネクタ装置が並んでいる状態でも、容易にロックおよびロック解除を行うことが可能なコネクタ装置を提供できることが好ましい。
【課題を解決するための手段】
【０００９】
上記課題を解決するために、本発明の第１の観点によると、被コネクタ連結部に連結されるコネクタ機構部を備えるコネクタ装置であって、コネクタ機構部の差し込み側が外部に露出する状態で、当該コネクタ機構部が取り付けられている筐体と、コネクタ機構部に対して筐体の少なくとも一部を移動させる移動機構と、を有し、複数の筐体が並んだ状態において、移動機構での筐体の少なくとも一部の移動により、当該筐体の少なくとも一部は、並んでいる他の筐体よりも飛び出す、ことを特徴とするコネクタ装置が提供される。
【００１０】
また、本発明の他の側面は、上述の発明において、コネクタ機構部には、ロック解除部材が取り付けられていて、ロック解除部材は、筐体の少なくとも一部の移動と連動して移動し、その移動によりコネクタ機構部での被コネクタ連結部との間のロック状態が解除される、ことが好ましい。
【００１１】
さらに、本発明の他の側面は、上述の発明において、筐体は、コネクタ機構部が取り付けられているケースと、ケースに対して回動可能に設けられ、この回動によって、並んでいる他の筐体よりも飛び出す外部カバーと、外部カバーに設けられていると共にケース側に向かう係合突起と、ケースに回動自在に取り付けられていると共に、係合突起との係合によって外部カバーが飛び出す飛び出し方向へ回動するのを規制するノブと、を具備し、ノブを移動させることにより、係合突起とノブとの係合が解除されて、外部カバーがケースに対して飛び出し方向へ回動する、ことが好ましい。
【００１２】
また、本発明の他の側面は、上述の発明において、外部カバーとケースとの間には、付勢手段が設けられていて、この付勢手段が与える付勢力によって外部カバーがケースに対して飛び出し方向に回動させられる、ことが好ましい。
【発明の効果】
【００１３】
本発明によると、複数のコネクタ装置が並んでいる状態でも、把持することが容易なコネクタ装置を提供することができる。
【図面の簡単な説明】
【００１４】
【図１】本発明の一実施の形態に係るコネクタ装置の構成を示す斜視図である。
【図２】図１のコネクタ装置の構成を示す斜視図であり、筐体の一部を切断してコネクタ装置の内部が見える状態とした図である。
【図３】図１のコネクタ装置の側断面図であり、（Ａ）は外部カバーがケースから飛び出していない状態を示し、（Ｂ）は外部カバーがケースから飛び出している状態を示している。
【図４】図１のコネクタ装置におけるケースの構成を示す斜視図である。
【図５】図１のコネクタ装置における外部カバーのカバー部材の構成を示す斜視図である。
【図６】図１のコネクタ装置におけるノブの構成を示す斜視図である。
【図７】図１のコネクタ装置におけるコネクタ機構部の構成を示すと共に、ケースおよび外部カバーの一部へのコネクタ機構部の取付状態を示す斜視図である。
【図８】図７のコネクタ機構部の構成を示す斜視図である。
【図９】図７のコネクタ機構部の構成を示す分解斜視図である。
【図１０】図７のコネクタ機構部からカバーを取り外した状態を示すと共に、レセプタクルの構成を示す側面図である。
【図１１】本発明の変形例に係り、コネクタ装置の筐体の上方側に外部カバーが飛び出すことにより、把持性が良好となっている状態を示す斜視図である。
【図１２】本発明の変形例に係り、コネクタ装置の筐体の上方側が飛び出すことにより、把持性が良好となっている状態を示す斜視図である。
【図１３】本発明の変形例に係り、コネクタ装置の筐体の手前側が飛び出すことにより、把持性が良好となっている状態を示す斜視図である。
【図１４】従来のコネクタ装置が測定装置に接続されている状態を示す側面図である。
【図１５】従来のコネクタ装置が測定装置に並んで接続されている状態を示す斜視図である。
【発明を実施するための形態】
【００１５】
以下、本発明の一実施の形態に係るコネクタ装置１０について、図面に基づいて説明する。なお、以下の説明においては、ＸＹＺ直交座標系を用いて説明する場合があるものとし、Ｘ方向をコネクタ装置１０の長手方向とし、Ｘ１側は図１において手前側かつ右側、Ｘ２側は図１において奥側かつ左側とする。またＺ方向をコネクタ装置１０の上下方向とし、Ｚ１側は上側、Ｚ２側は下側とする。またＹ方向はＸ方向およびＹ方向に直交する方向とし、Ｙ１側は図１において奥側かつ右側、Ｙ２側はそれとは逆の手前側かつ左側とする。
【００１６】
＜コネクタ装置１０の概略構成について＞
本実施の形態におけるコネクタ装置１０は、例えば、電流や電圧などの物理量を検出するセンサの電気ケーブルの終端部に接続されて、センサから出力された電気信号を測定装置等の電子機器に入力する際における連結部分として機能する装置である。このコネクタ装置１０は、筐体２０と、移動機構５０と、コネクタ機構部１００とを備えている。以下、これらについて説明する。
【００１７】
図１は、コネクタ装置１０の構成を示す斜視図である。図２は、コネクタ装置１０の構成を示す斜視図であり、筐体２０の一部を切断してコネクタ装置１０の内部が見える状態とした図である。また、図３は、コネクタ装置１０の側断面図であり、（Ａ）は外部カバー４０がケース３０から飛び出していない状態を示し、（Ｂ）は外部カバー４０がケース３０から飛び出している状態を示している。図１から図３に示すように、筐体２０は、ケース３０と、外部カバー４０とを有している。
【００１８】
ケース３０は、コネクタ装置１０のうち図示を省略する基板や、ケーブルの取付部分等を覆う部材である。このケース３０は、たとえば２つのケース部材３１を嵌合させることで構成されている。図３に示すように、ケース３０の一方側（Ｘ２側）には、コネクタ孔３２が設けられていて、このコネクタ孔３２には、コネクタ機構部１００が位置している。なお、コネクタ機構部１００は、このコネクタ孔３２を介して、ケース３０の内部から突出し、そのコネクタ機構部１００の第１嵌合部１２０が、測定装置の連結部位（レセプタクル２００）と連結される。
【００１９】
図４は、ケース３０の構成を示す斜視図である。図４に示すように、ケース３０の側面３０ａのうち、一方側（Ｘ２側）の高さ方向（Ｚ方向）の中間部分には、軸部３３が、側面３０ａから突出するように設けられている。軸部３３は、外部カバー４０の軸受凹部４７（図５参照）に嵌まる部分であり、これらの嵌合によって、外部カバー４０が回動する際の回動支点が定まる。
【００２０】
また、ケース３０のうち、他方側（Ｘ１側）の上面側には、ノブ用切欠部３４が設けられている。ノブ用切欠部３４は、ケース３０の上面３０ｂ側および後面３０ｃ側（ケース３０のうちＸ１側の面側）を切り欠いて形成されているが、ケース３０の側面３０ａまでは切り欠かれていない。このノブ用切欠部３４は、後述するノブ６０を位置させる部分であり、このノブ用切欠部３４を介して、ノブ６０の露出部６１が外部に突出する。そのため、使用者は、ノブ６０を一方側（Ｘ２側）に押し込む、といった操作を行うことを可能としている。また、ケース３０には、ノブ用切欠部３４に面する状態で、ノブ軸支凹部３５が設けられている。ノブ軸支凹部３５は、ノブ６０の軸部６２を挿入する凹部であり、ノブ用切欠部３４からそれぞれの側面３０ａに向かうように窪んでいる。
【００２１】
また、図３および図４に示すように、ケース３０の側面３０ａの他方側（Ｘ１側）には、当該側面３０ａを貫く案内溝３６が設けられている。案内溝３６は、外部カバー４０の
係合突起４３が嵌まる部分であるが、外部カバー４０の回動に伴って、その係合突起４３をガイドする溝部分でもある。そのため、案内溝３６は、長溝状に設けられていて、しかも円弧状に設けられている。
【００２２】
また、図２から図４に示すように、ケース３０には、側面３０ａおよび上面３０ｂから窪んだ窪み部３７が設けられている。この窪み部３７の底部３７ａには、上方へ向かうバネ受け突起３７ｂが設けられている。バネ受け突起３７ｂは、後述する付勢バネ７０の一端側（下方側）を挿入して受け止める部分である。
【００２３】
また、図３および図４に示すように、ケース３０の側面３０ａの一方側（Ｘ２側）には、当該側面３０ａを貫く貫通溝３８と、突起ガイド溝３９とが設けられている。貫通溝３８は、突起ガイド溝３９よりも下方側（Ｚ２側）かつ他方側（Ｘ１側）に位置している。貫通溝３８は、後述する外部カバー４０の柱脚部４５が位置する部分であり、外部カバー４０の回動の際に、柱脚部４５が回動する部分である。また、突起ガイド溝３９は、後述する押込突起４６が位置する部分であり、外部カバー４０の回動の際に、押込突起４６が回動する部分である。
【００２４】
次に、外部カバー４０について説明する。外部カバー４０は、ケース３０に対して回動して、その回動に伴って、ケース３０の他方側（Ｘ１側）が上方側（Ｚ１側）に飛び出す。この外部カバー４０は、たとえば２つのカバー部材４１を嵌合させることで構成されている。図１に示すように、外部カバー４０には、上述したノブ用切欠部３４と同様の、カバー切欠部４２が設けられていて、このカバー切欠部４２を介して、ノブ６０の露出部６１が外部に突出する。
【００２５】
図５は、外部カバー４０のカバー部材４１の構成を示す斜視図である。この図５に示すように、カバー部材４１は、その一方側（Ｘ２側）および下方側（Ｚ２側）が開放して設けられていて、ケース３０の一方側（Ｘ２側）と下方側（Ｚ２側）のそれぞれは、この開放部位から突出する。このカバー部材４１の側壁４１ａの内壁からは、係合突起４３が突出している。係合突起４３は、ノブ６０の係合部６３と係合する部分であり、これらの係合状態にあるときには、付勢バネ７０の付勢力により外部カバー４０が回動しようとするのが阻止される。なお、係合突起４３の内壁の付け根側には、規制凸部４３ａが設けられている。規制凸部４３ａは、案内溝３６における外部カバー４０の回動の規制を行う部分である。
【００２６】
また、カバー部材４１の上方の壁面４１ｂの内壁側からは、バネ受け突起４４が下方に向かい突出している。バネ受け突起４４は、付勢バネ７０の他端側（上方側）を挿入して受け止める部分である。また、カバー部材４１の側壁４１ａの内壁の下方側（Ｚ２側）かつ一方側（Ｘ２側）からは、柱脚部４５が突出して設けられている。柱脚部４５は、２つのカバー部材４１を連結させるための部分であり、その柱脚部４５には、不図示のネジ穴が形成されている。そのため、Ｙ２側のカバー部材４１には、不図示のネジを挿入するための凹部４１ｃ（図１参照）が設けられている。なお、ネジを挿入するための凹部４１ｃは、カバー部材４１の一方側（Ｘ２側）かつ下方側（Ｚ２側）以外にも、他方側（Ｘ１側）かつ上方側（Ｚ１側）にも設けられている。
【００２７】
また、側壁４１ａの内壁側からは、押込突起４６が突出して設けられている。押込突起４６は、柱脚部４５に近接して設けられているが、その柱脚部４５よりも一方側（Ｘ２側）かつ上方側（Ｚ１側）に設けられている。この押込突起４６は、後述する回動部材１５０の腕部１５１ｂを押し込む部分である。すなわち、外部カバー４０の回動に伴って押込突起４６が回動部材１５０を押し込むことにより、回動部材１５０も回動し、その回動により、被嵌合部２１０のロック状態が解除される。
【００２８】
また、図５に示すように、側壁４１ａの内壁側には、軸受凹部４７が設けられている。軸受凹部４７は、外部カバー４０の高さ方向（Ｚ方向）の中間に位置すると共に長手方向（Ｘ方向）の一方の端部側（Ｘ２側）に位置している。かかる軸受凹部４７に軸部３３が嵌まることにより、外部カバー４０が回動する際の回動支点が形成される。
【００２９】
次に、移動機構５０について説明する。移動機構５０は、図１および図２に示すノブ６０と、図３に示す付勢バネ７０と、図２に示す押込バネ８０とを有している。図６は、コネクタ装置１０におけるノブ６０の構成を示す斜視図である。図１、図２および図６に示すように、ノブ６０は、その上方側（Ｚ１側）に位置する露出部６１を有し、その露出部６１は、ノブ用切欠部３４およびカバー切欠部４２から突出する部分であり、使用者が一方側（Ｘ２側）に向けて押し込むことを可能とする部分である。ノブ６０には、上述した露出部６１の側方に、軸部６２が設けられている。軸部６２は、上述したノブ軸支凹部３５に挿入され、この軸部６２およびノブ軸支凹部３５を支点として、ノブ６０は回動可能に設けられている。
【００３０】
また、ノブ６０の下方側（Ｚ２側）には、係合部６３が設けられている。係合部６３は、外部カバー４０の係合突起４３と係合する（衝突する）部分である。なお、係合部６３は、露出部６１よりも幅方向（Ｙ方向）に長く、そのような長さの係合部６３の両端側が係合突起４３と係合する。係合部６３が係合突起４３と係合している状態では、外部カバー４０の他方側（Ｘ１側）が上方側（Ｚ１側）に持ち上がるように外部カバー４０が回動しようとしても、阻止される。
【００３１】
また、図６に示すように、ノブ６０のうち、係合部６３よりも上方側には、バネ挿入凹部６４が設けられている。バネ挿入凹部６４は、図２に示す押込バネ８０を挿入する部分であり、本実施の形態では、一対設けられている。押込バネ８０が挿入された状態では、ノブ６０は、その下方側（Ｚ２側）が一方側（Ｘ２側）に向かうように付勢され、そのノブ６０の露出部６１の上方側（Ｚ１側）は、他方側（Ｘ１側）に向かうように回動しようとする。なお、ケース３０には、図示を省略するバネ受け突起が設けられていて、押込バネ８０の他方側（Ｘ１側）が挿入されている。
【００３２】
また、本実施の形態では、付勢手段に対応する付勢バネ７０は、コイルスプリングであり、その一端側（下方側）にはバネ受け突起３７ｂが挿入されると共に、その他端側（上方側）にはバネ受け突起４４が挿入される。また、押込バネ８０も、コイルスプリングであり、その一方側（Ｘ２側）がバネ挿入凹部６４に挿入されると共に、その他方側（Ｘ１側）には不図示のバネ受け突起が挿入される。
【００３３】
なお、移動機構５０は、ノブ６０、付勢バネ７０および押込バネ８０に限られるものではない。外部カバー４０をケース３０に対して回動させることに寄与する機構であれば、これ以外の構成も、移動機構５０に含めることができる。たとえば、軸部３３、軸受凹部４７、バネ受け突起３７ｂ、バネ受け突起４４、係合突起４３、ノブ軸支凹部３５等や、その他の外部カバー４０の移動に寄与する部分を、移動機構５０に含めることが可能である。
【００３４】
＜コネクタ機構部１００について＞
次に、コネクタ機構部１００について説明する。なお、以下の説明におけるコネクタ機構部１００は、回動部材１５０の回動により、規制部１４０が回動する構成となっている。しかしながら、かかる構成ではなく、回動部材１５０の回動に際して、規制部１４０がスライドする構成等、他の構成を採用しても良い。
【００３５】
コネクタ機構部１００は、測定装置の被コネクタ連結部であるＢＮＣ（Bayonet
Neill Concelman）レセプタクル（雌形コネクタ：以下単に「レセプタクル」とする）との連結を可能とする部分である。図７は、コネクタ機構部１００の構成を示すと共に、ケース３０および外部カバー４０の一部へのコネクタ機構部１００の取付状態を示す斜視図である。図８は、コネクタ機構部１００の構成を示す斜視図である。図９は、コネクタ機構部１００の構成を示す分解斜視図である。また、図１０は、カバー１１０を取り外したコネクタ機構部１００およびレセプタクル２００の構成を示す側面図である。なお、レセプタクル２００は、被コネクタ連結部に対応する。
【００３６】
コネクタ機構部１００は、カバー１１０、第１嵌合部１２０、第２嵌合部１３０、一対の規制部１４０、一対の回動部材１５０および弾性バネ１６０を備えている。
【００３７】
カバー１１０には、図７から図９に示すように、円筒状の円筒部１１０ａが一方側（Ｘ２側）に設けられ、角筒状の角筒部１１０ｂが円筒部１１０ａに連続して他方側（Ｘ１側）に設けられている。このカバー１１０は、第１嵌合部１２０、第２嵌合部１３０、規制部１４０、回動部材１５０および弾性バネ１６０を収容している。円筒部１１０ａの一方側（Ｘ２側）の端面１１１には、測定装置側に設けられる、レセプタクル２００の被嵌合部２１０（図１０参照）を挿入させるための開口部１１２が形成されている。この開口部１１２には、被嵌合部２１０に配設されている突起部２１２を挿入させるための４つの切欠部１１３が、周方向に等間隔となるように設けられている。また、角筒部１１０ｂのうち、他方側（Ｘ１側）の側壁１１４には、回動部材１５０の軸部１５２が挿入される支持孔１１５が形成されている。
【００３８】
なお、端面１１１の内壁側には、後述する規制部１４０が干渉する。そのため、レセプタクル２００をコネクタ機構部１００から引き抜く際に、規制部１４０が一方側（Ｘ２側）に向かい、移動しようとしても、上記の干渉によって阻止される。
【００３９】
第１嵌合部１２０は、図９に示すように、筒状体１２１および端子１２２を備えている。筒状体１２１は、レセプタクル２００の被嵌合部２１０の内側に挿入可能な円筒状に形成されている。図９に示すように、端子１２２は、先端部（Ｘ２側の端部）に向かうにつれて尖形状に設けられていて、筒状体１２１の径方向中央に配設されている。端子１２２は、レセプタクル２００の不図示の被接続端子に接続される。
【００４０】
第２嵌合部１３０は、図９に示すように、第１嵌合部１２０の筒状体１２１よりも大径の円筒状に形成されている。第２嵌合部１３０は、図８に示すように、内側に第１嵌合部１２０の筒状体１２１が挿入された状態で、カバー１１０の円筒部１１０ａ内に収容されている。また、図９に示すように、第２嵌合部１３０の先端部（Ｘ２側の端部）には、４つの切込部１３１が、周方向に等間隔となるように設けられている。それにより、第２嵌合部１３０がカバー１１０の円筒部１１０ａ内に配設されたときに、円筒部１１０ａの切欠部１１３に、それぞれの切込部１３１が対向する。
【００４１】
また、切込部１３１は、図１０に示すようなレセプタクル２００の突起部２１２を挿入可能としている。図９に示すように、第２嵌合部１３０の他方側（Ｘ１側）には、フランジ部１３２が設けられていて、このフランジ部１３２が角筒部１１０ｂ内の規制突起（図示省略）と係合して、一方側（Ｘ１側）への移動が阻止され、その位置決めがなされる。
【００４２】
規制部１４０は、図８に示すように、第２嵌合部１３０の外周側において、当該第２嵌合部１３０に対して、それぞれ回転可能となる状態で配置されている。規制部１４０は、図８に示すように、円筒体の一部を切り取った形状にそれぞれ形成されているが、一方の規制部１４０と他方の規制部１４０との間には、周方向に隙間Ｓ１（図１０参照）が形成される状態となっている。
【００４３】
また、図９に示すように、規制部１４０の内壁面１４１のうち一方側（Ｘ２側）には、それぞれ２つの閉塞部１４２が設けられている。閉塞部１４２は、傾斜面１４２ａを有する三角柱状に形成されている。また、それぞれの規制部１４０の他方側（Ｘ１側）には、係合凹部１４３が設けられていて、この係合凹部１４３には、回動部材１５０の腕部１５１ｃの先端側が入り込む。それにより、回動部材１５０の回動に伴い、規制部１４０は、第２嵌合部１３０の周囲を回動する。そして、かかる回動により、閉塞部１４２の周方向における位置が変化し、それに伴い、閉塞部１４２が突起部２１２と係合して抜け止めとなるか否かが切り替わる。
【００４４】
また、回動部材１５０は、ロック解除部材に対応する。この回動部材１５０は、図９等に示すように、３つの腕部１５１ａ，１５１ｂ，１５１ｃを有する、略Ｔ字形状に設けられている。回動部材１５０のうち略Ｔ字形状の中央部分には、軸部１５２が設けられていて、その軸部１５２は、支持孔１１５に挿入される。それにより、回動部材１５０は、カバー１１０に対して回動自在となる。また、腕部１５１ａの先端側からは、一方側（Ｘ２側）に向かうように係合突起１５３が突出していて、その係合突起１５３は、弾性バネ１６０に挿入される。また、腕部１５１ｂは、上述した外部カバー４０の押込突起４６によって押し込まれる部分である。腕部１５１ｃは、上述した係合凹部１４３に入り込む部分である。
【００４５】
ところで、上述した外部カバー４０が、図３（Ｂ）に示すように飛び出す方向に回動すると、それに伴って押込突起４６も回動するが、その回動に際しては、押込突起４６は、腕部１５１ｂを押し込む。すると、回動部材１５０は軸部１５２を支点として回動し、それによって規制部１４０を、第２嵌合部１３０の周方向に回動させる。それにより、閉塞部１４２の周方向における位置が切り替わり、その閉塞部１４２が突起部２１２と係合するか否か、が切り替えられる。すなわち、コネクタ機構部１００がレセプタクル２００から抜けるか否かが切り替えられる。
【００４６】
なお、弾性バネ１６０は、カバー１１０の内部に一方側（Ｘ２側）が支持されると共に、係合突起１５３により他方側（Ｘ１側）が支持される。この弾性バネ１６０は、腕部１５１ａが他方側（Ｘ１側）に向かうような付勢力を与え、それにより、腕部１５１ｂは、押込突起４６に付勢される状態となる。
【００４７】
＜作用について＞
以上のような構成のコネクタ装置１０の作用について、以下に説明する。本実施の形態のコネクタ機構部１００は、バネヨット方式でロックおよびロック解除を行うものである。以下では、コネクタ機構部１００に、レセプタクル２００の被嵌合部２１０が差し込まれ、この被嵌合部２１０がロックされた状態にあるものとする。このとき、切込部１３１に存在する突起部２１２は、閉塞部１４２によって一方側（Ｘ２側）へ移動するのが規制されたロック状態となり、それによって被嵌合部２１０がコネクタ機構部１００から抜けるのが阻止された状態となっている。
【００４８】
コネクタ機構部１００における被嵌合部２１０のロックを解除する場合、先ず、使用者は、ノブ６０を一方側（Ｘ２側）に押し込む。すると、その押し込みに伴って、ノブ６０は軸部６２を支点として回転する（図２、図３参照）。それにより、係合部６３は、係合突起４３との係合状態から、係合突起４３との係合解除状態へと移行する。すると、外部カバー４０は、付勢バネ７０の付勢力により、軸受凹部４７を支点として回動し、図３（Ａ）に示すような閉じ状態から、図３（Ｂ）に示すような開き状態（持ち上げ状態）へと移行する。
【００４９】
すると、押込突起４６は、回動部材１５０の腕部１５１ｂを押し込み、回動部材１５０は軸部１５２を支点として、図３（Ａ）、図９および図１０等において反時計回りに回動させられる。それにより、規制部１４０は、腕部１５１ｃを介して第２嵌合部１３０の周囲を回転させられる。それにより、閉塞部１４２は、第２嵌合部１３０の周方向における位置が変化する。この位置変化により、切込部１３１に存在する突起部２１２は、一方側（Ｘ２側）へ移動するのが閉塞部１４２によって邪魔されずに許容する開放状態となる。
【００５０】
このように、ノブ６０を回動させることで、コネクタ機構部１００における被嵌合部２１０のロック解除を行うことが可能となる。
【００５１】
なお、コネクタ機構部１００に被嵌合部２１０を差し込む場合、開口部１１２の切欠部１１３に突起部２１２が位置する状態で、被嵌合部２１０を差し込むが、このとき、突起部２１２が閉塞部１４２の傾斜面１４２ａと衝突することにより、規制部１４０は、第２嵌合部１３０の周方向で回動させられる。しかし、突起部２１２が閉塞部１４２よりも他方側（Ｘ１側）の切込部１３１に位置すると、弾性バネ１６０の付勢力が、回動部材１５０を介して規制部１４０に伝達され、それにより規制部１４０が回動する。それにより、切込部１３１に存在する突起部２１２は、閉塞部１４２によって一方側（Ｘ２側）へ移動するのが遮られ、それによって被嵌合部２１０がコネクタ機構部１００から抜けるのが阻止された状態となっている。
【００５２】
＜効果について＞
以上のような構成のコネクタ装置１０によると、ノブ６０を押し込むことで、外部カバー４０は、ケース３０から持ち上げた状態とすることができる。そのため、複数のコネクタ装置１０が並んでいても、外部カバー４０に持ち上げられた（飛び出した）部分が形成されることで掴み易くなる。それにより、使用者は、コネクタ機構部１００を被嵌合部２１０から容易に引き抜くことが可能となる。
【００５３】
ここで、図１４および図１５に示すように、複数のコネクタ装置が並んで測定装置に接続されている場合、指がコネクタ装置同士の間に入り難くなり、それによって、取り外そうとしているコネクタ装置を把持し難くなり、コネクタ装置を取り外すことが難しい状態となる。しかしながら、本実施の形態では、外部カバー４０に持ち上げられる部分が形成されることにより、複数のコネクタ装置１０が並んでいても、コネクタ装置１０の把持が容易となり、コネクタ機構部１００の引き抜きが容易となる。
【００５４】
また、本実施の形態では、ノブ６０を押し込むことで、外部カバー４０に連動して回動部材１５０が回動し、それによって規制部１４０が第２嵌合部１３０の周方向に回動して、閉塞部１４２の位置が、被嵌合部２１０の抜け止め状態（ロック状態）に対応する位置から、被嵌合部２１０の引き抜きを行える位置へと切り替えられる。そのため、コネクタ装置１０のロックを解除する際に、コネクタ装置１０を回転させる必要がなくなる。それによって、コネクタ装置１０のロックの解除が容易となると共に、複数のコネクタ装置１０を狭い間隔で並んだ配置とすることが可能となる。
【００５５】
また、本実施の形態では、筐体２０は、コネクタ機構部１００が取り付けられているケース３０と、ケース３０に対して回動可能に設けられ、この回動によって、並んでいる他の筐体２０よりも飛び出す外部カバー４０と、を備えている。さらに、外部カバー４０には、ケース３０側に向かう係合突起４３が設けられると共に、この外部カバー４０にはノブ６０が回動自在に取り付けられている。そして、ノブ６０を押し込む（回動させる）ことにより、係合突起４３とノブ６０との係合が解除されて、外部カバー４０がケース３０に対して飛び出し方向へ回動する。このため、ノブ６０の押し込みにより、ワンタッチで係合突起４３とノブ６０との係合を解除させることが可能となり、外部カバー４０をワンタッチで飛び出させることが可能となる。そのため、飛び出し部分を簡単な操作で形成することが可能となる。また、外部カバー４０が飛び出していれば非ロック状態、飛び出していなければロック状態であることが一目瞭然に認識できる。
【００５６】
さらに、本実施の形態では、外部カバー４０とケース３０との間には、付勢バネ７０が設けられていて、この付勢バネ７０が与える付勢力によって外部カバー４０がケース３０に対して飛び出し方向に回動させられる。このため、ノブ６０を押し込んで、係合突起４３とノブ６０（係合部６３）との間の係合状態を解除させれば、自動的に外部カバー４０を飛び出させることが可能となる。
【００５７】
また、本実施の形態では、コネクタ機構部１００には、回動部材１５０が取り付けられていて、この回動部材１５０は、外部カバー４０の回動と連動して移動し、その移動によりコネクタ機構部１００での被嵌合部２１０との間のロック状態が解除される。このため、外部カバー４０を回動させると、回動部材１５０を介して、閉塞部１４２を有する規制部１４０を回動させることができ、コネクタ機構部１００における被嵌合部２１０のロック状態の解除を実現できる。そのため、コネクタ機構部１００がバネヨット方式を採用しているものの、コネクタ装置１０の全体を回動させる操作が不要となり、それによって複数のコネクタ装置１０を狭い間隔で並んだ配置とすることが可能となる。
【００５８】
＜変形例＞
以上、本発明の一実施の形態について説明したが、本発明はこれ以外にも種々変形可能となっている。以下、それについて述べる。
【００５９】
上述の実施の形態においては、ノブ６０は、一方側（Ｘ２側）に押し込むことで外部カバー４０の全体が回動して、その外部カバー４０における特に他方側（Ｘ１側）が飛び出す（持ち上がる）構成としている。しかしながら、筐体２０においては、少なくとも一部が飛び出せば、どのような構成を採用しても良い。たとえば、ノブ６０は、他方側（Ｘ１側）に押し込むことで回動し、それによって外部カバー４０が飛び出す構成を採用しても良い。また、移動機構５０は、ノブ６０ではなく、他の手段を備える構成を採用しても良い。他の構成としては、係合部６３に対応する部分を、棒状部材や紐状部材によって移動させる構成を採用しても良く、またノブに対応する部分に押釦やプルレバーを配置して、その押釦やプルレバーに連動して、係合部６３に対応する部分をスライドさせたり回動させる機構を用いても良い。
【００６０】
なお、筐体２０の少なくとも一部が飛び出すことで、コネクタ装置１０の把持性が良好になる他の例を、図１１から図１３に示す。図１１に示す構成では、外部カバー４０がケース３０から飛び出す構成としている。それにより、筐体２０のうち測定装置から離れるにつれて、ケース３０の上方への回動量が大きくなるように、ケース３０から外部カバー４０が飛び出す。そのため、コネクタ装置１０が複数並んだ状態でも、筐体２０の把持性が良好となり、コネクタ機構部１００（図１１では図示省略）の引き抜きが容易となる。
【００６１】
また、図１２に示す構成では、筐体２０の上方側において飛び出す突出部２２が設けられている。それにより、この突出部２２を把持することで、コネクタ装置１０が複数並んだ状態でも、筐体２０の把持性が良好となり、コネクタ機構部１００（図１２では図示省略）の引き抜きが容易となる。
【００６２】
また、図１３に示す構成では、筐体２０の手前側において飛び出す突出部２２が設けられている。それにより、この手前側の突出部２２を把持することで、コネクタ装置１０が複数並んだ状態でも、筐体２０の把持性が良好となり、コネクタ機構部１００（図１３では図示省略）の引き抜きが容易となる。
【００６３】
また、上述の実施の形態では、移動機構５０は、ノブ６０、付勢バネ７０および押込バネ８０を有する構成には限られなく、別途の構成を採用しても良い。たとえば、付勢バネ７０に代えて、捩じりバネを用いても良く、磁力反発等により外部カバー４０が開放する機構等、種々の機構を採用可能である。
【００６４】
また、上述の実施の形態では、外部カバー４０は、ケース３０に対して、軸受凹部４７および軸部３３を回動支点として回動することにより、ケース３０から外部カバー４０が飛び出す構成を採用している。しかしながら、外部カバー４０は、ケース３０に対してスライドすることにより、ケース３０から飛び出す構成を採用しても良い。なお、かかる外部カバー４０がスライドする構成を採用する場合、回動部材と同様の回動する構成を、たとえばラックギヤとピニオンギヤを用いたり、カムを用いる等によって実現しても良い。
【００６５】
また、上述の実施の形態では、外部カバー４０がケース３０に対して飛び出すことにより、回動部材１５０の回動を介して被嵌合部２１０のロック状態を解除するものとしている。しかしながら、このような構成を採用せず、被嵌合部２１０のロック状態の解除とは無関係に、外部カバー４０がケース３０に対して飛び出す構成を採用しても良い。
【００６６】
また、上述の実施の形態では、回動部材１５０がロック解除部材に対応するものとしているが、ロック解除部材は回動部材１５０に限られるものではない。たとえば、規制部１４０を回動させる機構を、回動部材１５０ではなくギヤ機構やリンク機構、カム機構等によって実現しても良く、これらの規制部１４０を回動させる機構を、ロック解除部材としても良い。また、規制部１４０自体を、ロック解除部材の概念に含めるようにしても良い。
【００６７】
また、上述の実施の形態では、コネクタ装置１０のコネクタ機構部１００は、測定装置のレセプタクル２００（被コネクタ連結部に対応）に連結されるものとしている。しかしながら、コネクタ機構部１００は、測定装置のレセプタクル（被コネクタ連結部）に連結されるものには限られず、測定装置以外の種々の電気機器（たとえばテレビ等の受信装置や音響装置等を始めとする各種の電気機器）の被コネクタ連結部に適用されるものであっても良い。
【符号の説明】
【００６８】
１０…コネクタ装置、２０…筐体、３０…ケース、３０ａ…側面、３０ｂ…上面、３０ｃ…後面、３１…ケース部材、３２…コネクタ孔、３３…軸部、３４…ノブ用切欠部、３５…ノブ軸支凹部、３６…案内溝、３７…窪み部、３７ａ…底部、３７ｂ…バネ受け突起、３８…貫通溝、３９…突起ガイド溝、４０…外部カバー、４１…カバー部材、４１ａ…側壁、４１ｂ…壁面、４１ｃ…凹部、４２…カバー切欠部、４３…係合突起、４３ａ…規制凸部、４４…突起、４５…柱脚部、４６…押込突起、４７…軸受凹部、５０…移動機構、６０…ノブ、６１…露出部、６２…軸部、６３…係合部、６４…バネ挿入凹部、７０…付勢バネ（付勢手段に対応）、８０…押込バネ、１００…コネクタ機構部、１１０…カバー、１１０ａ…円筒部、１１０ｂ…角筒部、１１１…端面、１１２…開口部、１１３…切欠部、１１４…側壁、１１５…支持孔、１２０…第１嵌合部、１２１…筒状体、１２２…端子、１３０…第２嵌合部、１３１…切込部、１３２…フランジ部、１４０…規制部、１４１…内壁面、１４２…閉塞部、１４２ａ…傾斜面、１４３…係合凹部、１５０…回動部材（ロック解除部材に対応）、１５１ａ〜１５１ｃ…腕部、１５２…軸部、１５３…係合突起、１６０…弾性バネ、２００…レセプタクル（被コネクタ連結部に対応）、２１０…被嵌合部、２１２…突起部、Ｓ１…隙間
【図１】
2015076127.tif 000003
【図２】
2015076127.tif 000004
【図３】
2015076127.tif 000005
【図４】
2015076127.tif 000006
【図５】
2015076127.tif 000007
【図６】
2015076127.tif 000008
【図７】
2015076127.tif 000009
【図８】
2015076127.tif 000010
【図９】
2015076127.tif 000011
【図１０】
2015076127.tif 000012
【図１１】
2015076127.tif 000013
【図１２】
2015076127.tif 000014
【図１３】
2015076127.tif 000015
【図１４】
2015076127.tif 000016
【図１５】
2015076127.tif 000017